(57)【要約】【課題】  内密保護機能が強いコンピュータのマザー・ボードとコンピュータのスイッチ・オン方法を提供する。【解決手段】  コンピュータのマザー・ボード１０において、指紋識別モジュール２０を取り付け、且つ指紋入力モジュール３０を電気的に接続し、指紋識別モジュール２０には、基本入出力システム１２を電気的に接続しており、且つ基本入出力システム１２におけるコンピュータのスイッチ・オン・プロセス１２１に指紋入力プロセス１２３を加入し、且つハードウェア・セッティング・プロセス１２２に指紋先行記憶プロセス１２４を加入し、コンピュータがスイッチ・オンされる際に、指紋を入力するよう要求し、それによってユーザーの身分を確認し、真の内密保護効果を達成する。【選択図】      図２
2005250777.tif 000002
【特許請求の範囲】
【請求項１】
コンピュータのマザー・ボードに指紋識別モジュールを組立てるとともに、指紋入力モジュールを延出形成し、コンピュータのスイッチ・オンまたはリセットする場合に、基本入出力システム（ＢＩＯＳ）に記憶される指紋入力プロセスを実行するコンピュータのスイッチ・オン方法において、
前記指紋入力モジュールより指紋映像信号を入力するステップ一と、
前記入力された指紋映像信号を前記の指紋識別モジュールに送信し、且つ識別コードになるように転換を行うステップ二と、
前記識別コードと少なくとも一つの予め記憶された識別コードとを比較することによって比較結果を生成し、その比較結果によって、スイッチ・オンすることが許可されるかを判断するステップ三とを有することを特徴とするコンピュータのスイッチ・オン方法。
【請求項２】
前記の指紋映像信号を入力するステップ一において、前記指紋映像信号を前記基本入出力システムや、不揮発性メモリ・デバイスやハード・ディスク・デバイスなどのいずれか一種の部品に記憶されることを特徴とする請求項１に記載のコンピュータのスイッチ・オン方法。
【請求項３】
前記の識別コードを転換するステップ二においては、さらに、
前記指紋映像信号における指紋特徴値を取り出すステップ二の一と、
前記指紋特徴値を識別コードになるようにエンコーディングするステップ二の二とを有することを特徴とする請求項１に記載のコンピュータのスイッチ・オン方法。
【請求項４】
前記識別コードを比較するステップ三において、指紋識別モジュールによって識別コードの比較操作を実行することを特徴とする請求項１に記載のコンピュータのスイッチ・オン方法。
【請求項５】
前記のスイッチ・オンを実行するかを判断するためのステップ三において、
比較結果がマッチする場合に、そのスイッチ・オンのプロセスを続行するステップ三の一と、
比較結果がマッチしない場合に、エラー・メッセージを表示してから、改めて指紋を入力するよう求める操作や、スイッチ・オフなどを実行する操作などを実行するステップ三の二とをさらに有することを特徴とする請求項１に記載のコンピュータのスイッチ・オン方法。
【請求項６】
コンピュータのマザーボードに指紋識別モジュールを組立てるとともに、指紋入力モジュールを延出形成し、コンピュータをスイッチ・オンさせる際に、またはリセットさせる際に、基本入出力システムに記憶される指紋先行記憶プロセスを実行する、コンピュータのスイッチ・オン方法において、
ユーザー・ネームを入力するステップ一と、
前記指紋入力モジュールより指紋映像信号を入力するステップ二と、
前記指紋映像信号を前記指紋識別モジュールに入力するとともに、識別コードになるように転換を実行するステップ三と、
前記識別コードを記憶することによって、先行記憶識別コードを形成するとともに、前記ユーザー・ネームに対応するように設定するステップ四と、
コンピュータをリセットするステップ五とを有することを特徴とするコンピュータのスイッチ・オン方法。
【請求項７】
前記基本入出力システムとして、電気的消去再書き込み可能な読み出し専用記憶装置を使用し、且つその内部に記憶エリアが形成され、そこにユーザーの先行記憶識別コードを記憶できるように設定することを特徴とする請求項６に記載のコンピュータのスイッチ・オン方法。
【請求項８】
前記基本入出力システムとして、フラッシュ・メモリ・デバイスを使用し、且つその内部に記憶エリアが形成され、そこにユーザーの先行記憶識別コードを記憶できるように設定することを特徴とする請求項６に記載のコンピュータのスイッチ・オン方法。
【請求項９】
前記識別コードを記憶するステップ四において、前記先行記憶識別コードが不揮発性のメモリ・デバイスやハード・ディスク・デバイスなどに記憶されることを特徴とする請求項６に記載のコンピュータのスイッチ・オン方法。
【請求項１０】
前記の指紋映像信号を入力するステップ二において、前記指紋映像信号を前記基本入出力システムや、不揮発性メモリ・デバイスやハード・ディスク・デバイスなどのいずれか一種の部品に記憶されることを特徴とする請求項６に記載のコンピュータのスイッチ・オン方法。
【請求項１１】
前記の識別コードを転換するステップ三においては、さらに、
前記指紋映像信号における指紋特徴値を取り出すステップ三の一と、
前記指紋特徴値を識別コードになるようにエンコーディングするステップ三の二とを有することを特徴とする請求項６に記載のコンピュータのスイッチ・オン方法。
【請求項１２】
前記の指紋の予め記憶するプロセスは、前記基本入出力システムの選択しメニューに入ってから、指紋先行記憶プロセスの選択肢を選択することによって実行されることを特徴とする請求項６に記載のコンピュータのスイッチ・オン方法。
【請求項１３】
前記指紋先行記憶プロセスを実行することは、キーボードにおけるホット・キーを押すことによって実行されることを特徴とする請求項６に記載のコンピュータのスイッチ・オン方法。
【請求項１４】
内部にコンピュータ・スイッチ・オン・プロセスが記憶されている基本入出力システムと、
少なくとも一人のユーザーの指紋映像信号を入力することに利用される、指紋入力モジュールと、
前記指紋入力モジュールと前記基本入出力システムに電気的に接続され、前記指紋映像信号における指紋の特徴を識別することに利用され、且つそれを識別コードに転換する、指紋識別モジュールと、
を少なくとも備えており、
その中、コンピュータがスイッチ・オンされる場合に、前記のコンピュータ・スイッチ・オン・プロセスが前記指紋識別モジュールをコントロールして、前記識別コードと、少なくとも一つの先行記憶識別コードとを比較判断し、比較結果を取得し、且つその比較結果によってコンピュータをスイッチ・オンさせるかを決めることを特徴とするコンピュータのマザー・ボード。
【請求項１５】
前記基本入出力システムとして、電気的消去再書き込み可能な読み出し専用記憶装置を使用し、且つその内部に記憶エリアが形成され、そこにユーザーの先行記憶識別コードを記憶できるように設定することを特徴とする請求項１４に記載のコンピュータのマザー・ボード。
【請求項１６】
前記の基本入出力システムとして、フラッシュ・メモリ・デバイスを使用し、且つその内部に記憶エリアが形成され、そこにユーザーの先行記憶識別コードを記憶できるように設定することを特徴とする請求項１４に記載のコンピュータのマザー・ボード。
【請求項１７】
前記基本入出力システムには、さらに指紋先行記憶プロセスが導入され、その指紋先行記憶プロセスを実行するには、前記指紋入力モジュールと前記指紋識別モジュールとを利用して、少なくとも一人のユーザーの指紋を入力して前記先行記憶識別コードとし、且つ不揮発性メモリ・エリアに記憶させることを特徴とする請求項１４に記載のコンピュータのマザー・ボード。
【請求項１８】
前記指紋入力モジュールが前記コンピュータのケーシングに配置されるとともに、ある指紋情報トランスミッション・コードを介して前記コンピュータのマザー・ボードにおける指紋識別モジュールに電気的に接続されることを特徴とする請求項１４に記載のコンピュータのマザー・ボード。
【請求項１９】
前記指紋入力モジュールがコンピュータのキーボードに配置されるとともに、そのキーボードにおけるトランスミッション・コードに指紋情報トランスミッション・コードを結合し、且つ前記コンピュータのマザー・ボードにおける指紋識別モジュールに電気的に接続されることを特徴とする請求項１４に記載のコンピュータのマザー・ボード。
【請求項２０】
前記指紋入力モジュールがコンピュータのマウス・デバイスに配置されるとともに、そのマウス・デバイスにおけるトランスミッション・コードに指紋情報トランスミッション・コードを結合し、且つ前記コンピュータのマザー・ボードにおける指紋識別モジュールに電気的に接続されることを特徴とする請求項１４に記載のコンピュータのマザー・ボード。
【請求項２１】
前記指紋入力モジュールにおいては、
ユーザーの指紋の映像を入力するための指紋イメージ・スキャナーと、
前記指紋映像をデジタル・タイプの指紋映像信号に転換するためのアナログ・デジタル・コンバータとをさらに有することを特徴とする請求項１４に記載のコンピュータのマザー・ボード。
【請求項２２】
前記指紋識別モジュールとして指紋識別集積回路を利用することを特徴とする請求項１４に記載のコンピュータのマザー・ボード。
【請求項２３】
前記指紋識別モジュールにおいては、
前記指紋映像信号における指紋の特徴値をキャッチするとともに、識別コードになるようにエンコーディングする指紋エンコーダーと、
前記識別コードと先行記憶識別コードとを比較することによって比較結果を生成する指紋コンパレータとをさらに有することを特徴とする請求項１４に記載のコンピュータのマザー・ボード。
【請求項２４】
前記指紋識別モジュールに電気的に接続され、少なくとも一人のユーザーの指紋映像信号と前記の先行記憶識別コードとを記憶するための記憶装置をさらに有することを特徴とする請求項１４に記載のコンピュータのマザー・ボード。
【請求項２５】
前記記憶装置として不揮発性メモリ・デバイスまたはハード・ディスク・デバイスを使用することを特徴とする請求項２４に記載のコンピュータのマザー・ボード。
【請求項２６】
前記記憶装置としてフラッシュ・メモリ・デバイスを使用することを特徴とする請求項２４に記載のコンピュータのマザー・ボード。
【請求項２７】
前記コンピュータのマザー・ボードに配置され、前記指紋識別モジュールと前記指紋入力モジュールとを電気的に接続する、トランスミッション・インターフェースをさらに有することを特徴とする請求項１４に記載のコンピュータのマザー・ボード。
【請求項２８】
前記トランスミッション・インターフェースとして、ＵＳＢインターフェースやＩＥＥＥ１３９４インターフェースやＲＳ−２３２インターフェースやＰＳ２インターフェースやパラレル・ポート・インターフェースなどのいずれか一種を使用することを特徴とする請求項２７に記載のコンピュータのマザー・ボード。
【発明の詳細な説明】
【技術分野】
【０００１】
本発明は、コンピュータのマザー・ボードとコンピュータのスイッチ・オン方法に係わり、特に、指紋識別モジュールをコンピュータのマザー・ボードに結合し、且つ指紋入力モジュールを接続して指紋情報をキャッチし、コンピュータのスイッチ・オンの操作の内密性を向上するための、コンピュータのマザー・ボードとコンピュータのスイッチ・オン方法に関するものである。
【背景技術】
【０００２】
さて、人間の指紋は唯一性の特性を有しつつ、随時に身につけられ、遺失する虞がないため、指紋を個人の身分を確認する手段がどんどんと多くの高度の内密性を強調するシステムやそれぞれの場所などに広範的に導入されてきた。科学技術の進歩にしたがって、指紋を入力するためのハードウェアが既にモジュール化され、且つシングル・チップ・タイプのデバイスの形式の製品に製造されており、且つ多くのコンピュータの製品に導入されてゆき、且つ多くの取引メカニズムに応用され、例えば、クレジット・カード取引装置や現金卸し金融装置などの分野にも応用されてきた。
【０００３】
コンピュータ製品における応用例について、目前では、既に指紋識別モジュールをコンピュータのキーボードやマウス・デバイスやアクセス・デバイスなどに結合するものがあり、例えば、ハードディスク・デバイスとポータブル・ハードディスク・デバイスなどがそれらの例であり、その目的は、コンピュータのソフトウェアやハードウェアなどの内密性を向上するためであり、他人がコンピュータ・システムにこっそり侵入することを防止するものである。しかしながら、従来に存在しているすべての指紋識別モジュールが全部外部接続式のデバイスであり、接続または駆動する場合に、余分に特定のソフトウェアやドライバー・プログラムをインストールする必要がある。
【０００４】
また、従来のテクニックにおいては、コンピュータ・デバイスにはすべて基本入出力システム（ＢＩＯＳ）を備えており、その内部にはコンピュータ・デバイスのハードウェアのセッティング・バリューとコンピュータ・デバイスのスイッチ・オン・プロセス・セッティング・データを記憶しており、且つそのスイッチ・オン・プロセス・セッティング・データによってコンピュータのスイッチ・オン・オペレーションを実行し、普段では、他人がコンピュータ・デバイスに対し侵入することを防止するために、大体そのＢＩＯＳにスイッチ・オン・パスワードを設定し、しかしながら、そのスイッチ・オン・パスワードが依然として他人が盗用する虞がある。且つ現在では、既にＢＩＯＳパスワードをばれさせるためのソフトウェアが出現しており、そのため、そのような従来の手段は内密性確保効果を得られなくなってしまい、また、ユーザーがＢＩＯＳにおけるスイッチ・オンのためのパスワードを忘れてしまう場合に、ユーザーに不便さを招くことがあり、そのため、指紋を利用することによってスイッチ・オンの際の確認手段とする場合こそが、コンピュータ・デバイス・システムの高度の内密性を獲得できる。
【０００５】
そのため、本発明の発明者は、指紋入力モジュールのテクニックがますます成熟してゆくことに鑑みて、且つ現今の人間が個人の安全性とプライバシーとを重要視していることに鑑みて、研究開発を進め、一種のコンピュータのマザー・ボードとコンピュータのスイッチ・オン方法を提案し、それによって、指紋識別モジュールをコンピュータのマザー・ボードに導入することにより、コンピュータのスイッチ・オンの際に、ＢＩＯＳより直接的に指紋入力モジュールを駆動し、コンピュータのスイッチ・オンの内密保護手段として利用し、合理的で前記のそれぞれの課題を解消できる手段となっている。
【発明の開示】
【発明が解決しようとする課題】
【０００６】
本発明は、指紋識別モジュールをコンピュータのマザー・ボードに取り付け、且つ指紋入力モジュールをコンピュータのケーシングや他の周辺製品などに取り付け、ユーザーの指紋情報の受信手段とし、コンピュータをスイッチ・オンする際の身分識別手段として利用することによって、コンピュータのハードウェアの内密保護効果を取得することを特徴とする、コンピュータのマザー・ボードとコンピュータのスイッチ・オン方法を提供することをその主要な解決しようとする課題とする。
【課題を解決するための手段】
【０００７】
前記の目的を図るために、本発明は、一種のコンピュータのスイッチ・オン方法を提供し、それは、コンピュータのマザー・ボードに指紋識別モジュールを取り付け、且つ指紋入力モジュールを延出接続し、コンピュータのスイッチ・オンまたはリセットの際に、基本入出力システム（ＢＩＯＳ）に記憶される指紋入力プロセスを実行し、まず、その指紋入力モジュールより指紋映像信号を入力し、且つその指紋映像信号を前記指紋識別モジュールへトランスミットし、且つ識別コードになるように転換をし、また、その識別コードと先行記憶識別コードと比較判断し、且つ比較結果を生成し、最後にその比較結果にしたがってコンピュータをスイッチ・オンするかを決める。
【０００８】
また、好ましくは、本発明は一種のコンピュータのスイッチ・オン方法を提供し、それは、コンピュータのマザー・ボードに指紋識別モジュールを取り付け、且つ指紋入力モジュールを延出接続し、コンピュータのスイッチ・オンまたはリセットの際に、基本入出力システム（ＢＩＯＳ）に記憶される指紋先行記憶プロセスを実行し、まず、ユーザー・ネームを入力し、それから、前記指紋入力モジュールより指紋映像信号を入力し、且つその指紋映像信号を指紋識別モジュールにトランスミットし、且つ識別コードになるように転換をし、また、その識別コードを記憶し、それによって先行記憶識別コードを形成し、且つ前記のユーザー・ネームに対応するように設定し、最後にコンピュータをリセットする。
【０００９】
また、好ましくは、本発明は、一種のコンピュータのマザー・ボードを提供し、それには、内部にコンピュータをスイッチ・オンさせるオペレーティング・プロセスが記憶されている基本入出力システム（ＢＩＯＳ）と、少なくとも一人のユーザーの指紋映像信号を入力できる指紋入力モジュールと、前記指紋入力モジュールと前記基本入出力システムに電気的に接続され、前記指紋映像信号における指紋特徴を識別し、且つそれを識別コードに転換する指紋識別モジュールとを備えており、コンピュータがスイッチ・オンされると、前記基本入出力システムにおけるスイッチ・オン・プロセスが、前記指紋識別モジュールを作動させて、前記識別コードと前記少なくとも一つの先行記憶識別コードとを比較判断し、比較結果を生成し、且つその比較結果にしたがってコンピュータをスイッチ・オンさせるかを決める。
【発明を実施するための最良の形態】
【００１０】
本発明の達成しようとする目的とその採用する技術手段をさらに解明させるために、以下に添付図面を参照しながら、本発明の優れる実施の形態を詳細的で具体的に説明するが、それらの図面と説明に掲示される具体的な構成は単に本発明の実施可能な実施例に過ぎず、本発明を狭義的に定義するものではないことは言うまでもない。
【００１１】
図１に示すのは、マザー・ボードのレイアウトを示すブロック図であり、その図面に示すように、一般のコンピュータのマザー・ボード１０には、中央処理装置（ＣＰＵ）１１と、基本入出力システム（ＢＩＯＳ）１２と、メモリ・モジュール１３と、ディスプレイ・カード１４と、サウンド・エフェクト・カード１５と、少なくとも一つのハード・ディスク・デバイス１６と、複数の接続インターフェースなどを備えており、それらのそれぞれの部品によってパーソナル・コンピュータを形成する。
【００１２】
基本入出力システム１２には、コンピュータのスイッチ・オン・プロセス１２１と、ハードウェア・セッティング・プロセス１２２を記憶しており（図２参照）、その中、前記コンピュータのスイッチ・オン・プロセスがコンピュータのスイッチ・オンの基本的な入出力手段をコントロールすることを処理でき、また、前記のハードウェア・セッティング・プロセスがコンピュータの基本的なハードウェア・バリューを設定でき、且つそれらをＣＭＯＳメモリ・デバイス１７に記憶できる。
【００１３】
従来の内密保護方式は、ハードウェアのセッティング・プロセスにおいてパスワードをセッティングし、且つそれをＣＯＭＳメモリ・デバイス１７に記憶し、また、それを破れる方法は、そのＣＯＭＳメモリ・デバイス１７におけるセッティング・バリューをリセットすることによって破れさせるものであり、そのため、この種の従来の内密保護方式は既に内密保護効果を取得できなくなってしまう。
【００１４】
それに対して、図２に示すのは、本発明の指紋識別モジュールを備えるマザー・ボードの構成を示すブロック図であり、本発明は、そのコンピュータのマザー・ボード１０において、指紋識別モジュール２０を取り付け、且つ指紋入力モジュール３０を電気的に接続し、指紋識別モジュール２０には、また、基本入出力システム１２を電気的に接続しており、且つその基本入出力システム１２におけるコンピュータのスイッチ・オン・プロセス１２１に指紋入力プロセス１２３を加入し、且つハードウェア・セッティング・プロセス１２２に指紋先行記憶プロセス１２４を加入し、コンピュータがスイッチ・オンされる際に、指紋を入力するよう要求し、それによってユーザーの身分を確認し、真の内密保護効果を達成する。
【００１５】
その中、指紋入力モジュール３０が、少なくとも一人のユーザーの指紋映像信号を入力するための手段として利用され、また、指紋識別モジュール２０が、前記指紋映像信号における指紋の特徴を識別し、且つ識別コードになるように転換をし、また、指紋入力プロセス１２３が、指紋識別モジュール２０に前記識別コードと少なくとも一つの先行記憶識別コードとを比較させるようにコントロールするものであり、その比較判断によって、比較結果を生成し、且つその比較結果にしたがってコンピュータをスイッチ・オンさせるかを決めるものである。
【００１６】
普段、基本入出力システム１２として、一種のＥＥＰＲＯＭ（電気的消去再書き込み可能な読み出し専用記憶装置）を使用し、且つその内部に前記のコンピュータのスイッチ・オン・プロセスなどを記憶し、本発明の優れる実施の形態は、大きい記憶容量を有するＥＥＰＲＯＭを、基本入出力システム１２として使用し、その内部には記憶区間を有する記憶エリアを有し、そこにユーザーの前記の先行記憶識別コードを記憶し、そのため、ＣＭＯＳメモリ・デバイス１７をリセットさせる場合に、前記ＥＥＰＲＯＭの中のユーザーの指紋識別コードが消去されることは生じず、破れない状態を形成させることができる。
【００１７】
勿論、本発明においても、メモリ・デバイスを利用して先行記憶識別コードを記憶してもよいことは言うまでもないことであり、当該メモリ・デバイスとして、不揮発性メモリ・デバイス、例えばフラッシュ・メモリ・デバイスやハードディスク・デバイス１６などを使用でき、また、前記メモリ・デバイスが指紋識別モジュール２０に電気的に接続され、前記のユーザーの指紋入力モジュール３０を介して入力する指紋映像信号を一次保存することに利用される。
【００１８】
ユーザーに容易にその指紋を入力させることができるようにするために、本発明においては、その指紋入力モジュール３０をコンピュータのケーシング４０に配置し（図３参照）、且つ指紋情報トランスミッション・コード３１を介してマザー・ボード１０における指紋識別モジュール２０に電気的に接続されている。
【００１９】
また、図４に示すのは、本発明の第二の実施例の場合の様子を示す説明図であり、本発明においても、その指紋入力モジュール３０をキーボード４１またはマウス・デバイス４２に配置してもよいことが言うまでもないことであり、また、キーボード４１のトランスミッション・コード３２またはマウス・デバイス４２のトランスミッション・コード３３に指紋情報トランスミッション・コード３１を結合するとともに、マザー・ボード１０における指紋識別モジュール２０に電気的に接続してもよい。
【００２０】
本発明における指紋識別モジュール２０が、コンピュータのマザー・ボード１０に配置しているが、実際に応用される場合に、指紋入力モジュール３０がやはりトランスミッション・インターフェースを介してトランスミッション・コード３１によって指紋識別モジュール２０に電気的に接続する必要があり、そのトランスミッション・インターフェースとして、例えば、ＵＳＢインターフェースや、ＩＥＥＥ１３９４インターフェースやＲＳ−２３２インターフェースやＰＳ２インターフェースやパラレル・ポート・インターフェースｎなどのいずれか一種または複数種採用できる。
【００２１】
図５に示すのは、本発明の指紋情報処理モジュールを示すブロック図であり、その図から分かるように、本発明の指紋入力モジュール３０として好ましくは指紋入力集積回路を使用でき、また、指紋識別モジュール２０としても、指紋識別集積回路を使用でき、指紋入力モジュール３０の内部には、指紋映像スキャナー３４（光学式またはチップ式の部品）と、アナログ・デジタル・コンバーター３５とを有しており、また、指紋識別モジュール２０の内部には、指紋エンコーダー２１と指紋コンパレータ２２とを有している。
【００２２】
その中、指紋映像スキャナー３４が、ユーザーの指紋映像を入力することに利用され、また、アナログ・デジタル・コンバータ３５が前記指紋映像をデジタル式の指紋映像信号に転換することに利用され、また、指紋エンコーダー２１が前記指紋映像信号における指紋特徴値をキャッチしてから、識別コードになるようにエンコーディングをし、また、指紋コンパレータ２２が前記の識別コードと先行記憶識別コードとを比較し、比較結果を生成するものである。
【００２３】
また、図６に示すのは、本発明の指紋の先行記憶プロセスを示すフローチャートであり、本発明は、主にコンピュータをスイッチ・オンする際にユーザーの身分を識別するものであり、そのため、本発明においては、先にユーザーの指紋を先行記憶指紋として入力する必要があり、そのため、コンピュータのスイッチ・オンする過程中に、前記指紋の先行記憶プロセス１２４を実行する必要があり、その実行の方法については、例えば、ハードウェア・セッティング・プロセス１２２の選択肢メニューに進入し、指紋先行記憶プロセス１２４の選択肢を選択することによって実行するか、直接にスイッチ・オンの過程中にキーボード４１におけるホット・キーを押すことによって実行する（ステップＳ１００）。
【００２４】
また、指紋先行記憶プロセス１２４においては、まず、ユーザーのネームを入力し（ステップＳ１０２）、それから、指紋入力モジュール３０を介してユーザーの指紋情報を入力して指紋映像信号を生成し（ステップＳ１０４）、それから、指紋映像信号を指紋識別モジュール２０に入力し、その指紋識別モジュール２０がその指紋映像信号における指紋特徴値を抽出し（ステップＳ１０６）、且つその指紋特徴値をエンコーディングして識別コードになるように処理をし（ステップＳ１０８）、最後にその識別コードを記憶し、先行記憶識別コードを形成し、且つ前記のユーザー・ネームに対応させるように処理をし（ステップＳ１１０）、記憶終了後にコンピュータをリセットして再起動させる。
【００２５】
図７に示すのは、本発明の指紋の入力のプロセスを示すフローチャートであり、前記の指紋先行記憶作業が終了されると、コンピュータを再起動させる場合に、コンピュータのスイッチ・オン・プロセス１２１に入り、且つ指紋入力プロセス１２３を実行し（ステップＳ２０１）、指紋入力モジュール３０を介してユーザーの指紋を入力し、且つ指紋映像信号を生成し（ステップＳ２０２），それからその指紋映像信号を指紋識別モジュール３０にトランスミットし、その指紋識別モジュール３０がその指紋映像信号より指紋特徴値を抽出し（ステップＳ２０４）、且つその指紋特徴値をエンコーディングすることによって識別コードになるように転換処理をし（ステップＳ２０６），最後にその識別コードと前記の少なくとも一つの先行記憶識別コードとを比較し（ステップＳ２０８）、比較結果を生成し、その比較結果がマッチする場合に、そのスイッチ・オン・プロセスを続行し（ステップＳ２１０）、反対に、マッチしない場合では、エラー・メッセージを表示してから、再び入力するよう要求し、またはスイッチ・オフさせる（ステップＳ２１２）。
【産業上の利用可能性】
【００２６】
また、前記に開示したそれぞれの図面や詳細な説明などは、単に本発明の実施可能な実施例に過ぎず、当該分野における技術者はその開示された内容に基づいて各種の変更実施を実行できるが、それらの変更実施が本発明と相同の効果を有する場合、それらのことも本発明の主張範囲内に納入されるべきことは言うまでもない。
【図面の簡単な説明】
【００２７】
【図１】コンピュータのマザー・ボードの構成を示すブロック図である。
【図２】本発明の指紋情報処理モジュールを有するマザー・ボードの構成を示すブロック図である。
【図３】本発明の第一の実施例の様子を示す説明図である。
【図４】本発明の第二の実施例の様子を示す説明図である。
【図５】本発明の指紋情報処理モジュールの構成を示すブロック図である。
【図６】本発明の指紋先行記憶プロセスを示すフローチャートである。
【図７】本発明の指紋情報入力プロセスを示すフローチャートである。
【符号の説明】
【００２８】
１０    マザー・ボード
１１    中央処理装置
１２    基本入出力システム
１３    メモリ・モジュール
１４    ディスプレイ・カード
１５    サウンド・エフェクト・カード
１６    ハードディスク・デバイス
１７    ＣＭＯＳメモリ・デバイス
２０    指紋識別モジュール
２１    指紋エンコーダー
２２    指紋コンパレータ
３０    指紋情報入力モジュール
３１    指紋情報トランスミッション・コード
３２    キーボードのトランスミッション・コード
３３    マウス・デバイスのトランスミッション・コード
３４    指紋映像スキャナー
３５    アナログ・デジタル・コンバータ
４０    ケーシング
４１    キーボード
４２    マウス・デバイス
１２１  コンピュータのスイッチ・オンのプロセス
１２２  ハードウェア・セッティング・プロセス
１２３  指紋情報入力プロセス
１２４  指紋先行記憶プロセス
【図１】
2005250777.tif 000003
【図２】
2005250777.tif 000004
【図３】
2005250777.tif 000005
【図４】
2005250777.tif 000006
【図５】
2005250777.tif 000007
【図６】
2005250777.tif 000008
【図７】
2005250777.tif 000009